(57)【特許請求の範囲】
【請求項１】
複数の弦を具備し、これら各弦の振動長を変更させるために、弦と指板との間に挟み込んで使用する弦楽器用駒において、
上記弦楽器用駒を上記複数の弦の配列方向の間隔にほぼ等しい長さに形成し、各弦毎に個別に各弦の振動長を設定できるように構成したことと、
上記指板と接触する底面に凹溝を形成し、この凹溝に上記指板に突設されるフレットを係合させる構造としたことと、
を特徴とする弦楽器用駒。
【請求項２】
請求項１記載の弦楽器用駒において、上記各弦楽器用駒の互に隣接する駒と対向する面の一方に凹部を形成し、他方の面に上記凹部とほぼ等しい形状の突起を形成し凹部に他の駒の突起を係合させて連結可能としたことを特徴とする弦楽器用駒。
【請求項３】
請求項１又は２記載の弦楽器用駒において、各弦楽器用駒には上記各弦と係合する切欠が複数形成され、上記複数の弦の中の配列方向の両側に位置する弦に対しては上記弦と係合させる上記切欠を選択し適正な状態で設置することができる構成としたことを特徴とする弦楽器用駒。
【請求項４】
複数の弦を具備し、これら各弦の振動長を変更させるために、弦と指板との間に挟み込んで使用する弦楽器用駒において、
上記弦楽器用駒を上記複数の弦の配列方向の間隔にほぼ等しい長さに形成し、各弦毎に個別に各弦の振動長を設定できるように構成したことと、
上記各弦楽器用駒の互に隣接する駒と対向する面の一方に凹部を形成し、他方の面に上記凹部とほぼ等しい形状の突起を形成し凹部に他の駒の突起を係合させて連結可能としたことと、
を特徴とする弦楽器用駒。
【発明の詳細な説明】
【０００１】
【発明の属する技術分野】
この発明は例えばギターのような弦楽器の各弦の振動長を変更することに用いる弦楽器用駒に関する。
【０００２】
【発明が解決しようとする課題】
一般にギターは開放弦以外の音は、弦を指によってフレットに抑え付け、弦の振動長を目的とする長さに変えて音を出している。このため非力な例えば子供には演奏が難かしい欠点がある。
この発明の目的は非力な子供でも簡単な曲を弦を抑えることなく、単に開放弦の状態で演奏することができる状態に設定することができる弦楽器用駒を提供しようとするものである。
【０００３】
【課題を解決するための手段】
この発明ではギターの弦の配列方向の間隔とほぼ同じ長さを持ち、各弦毎に異なるフレットの位置に設定することができ、その各設定位置において弦と接触して弦の振動長を変更する弦楽器用駒を提案するものである。
この発明による弦楽器用駒を用いることにより、開放弦の状態つまり、指で弦をフレットに抑え付けなくても、普通のギターにない音を発生させることができる。従ってこの発明による弦楽器用駒を適当なフレットの位置に設定し、開放弦の状態で弦を振動させれば、目的とする楽曲を演奏することができる。よって子供にもギターの練習を行なわせることができる。
【０００４】
【発明の実施の形態】
図１及び図２にこの発明による弦楽器用駒を示す。図中１０はこの発明による弦楽器用駒を示す。この発明では弦楽器の各弦１本毎に異なるフレット位置に係合して各弦の開放弦の音を自由に変更することができる弦楽器用駒を提案するものである。このため、この発明による弦楽器用駒１０は対象となる弦楽器の弦２０（図３参照）の配列ピッチＰにほぼ等しい寸法Ｗ（図１、図２参照）と、この寸法Ｗを与える方向と直交する向に寸法Ｗより大きい寸法Ｌを持つ底面１１と、この底面１１の寸法Ｌの方向のほぼ中央部分に形成した溝１２と、溝１２の真上の位置に形成した突起１３とを具備して構成される。
【０００５】
底面１１をギターの指板２２（図３，図４参照）の面に乗せ、溝１２にギターのフレット２１を係合させ、寸法Ｌを弦２０と平行する方向に配置する。突起１３の底面１１からの高さは指板２２の表面と弦２０までの間隙Ｇ（図４参照）より大きく選定する。
尚、指板２２はギターの胴から突出したネック２３の平面部分に貼着られ、弦２０と平行して配置される。
【０００６】
この実施例では寸法Ｗを与える方向の一方の端面１５に半円形状の凹部１５Ａを形成し、他方の端面１６（図２参照）には半円形状の突起１６Ａを形成した場合を示す。これらの凹部１５Ａと突起１６Ａは図５に示すように互に連結して配置する場合に互に隣接する駒同士を結合させる場合に用いる。また、突起１６Ａを突出して形成することにより、駒１０の１個を独立して配置する場合に、寸法Ｗに突起１６Ａの寸法ΔＷが加えられるため、突起１６Ａを突出させて形成することによって駒の弦２０に対する支持力を安定化することができる。
【０００７】
またこのように、突起１６Ａを形成したことにより、端部の弦２０に駒１０を係合させる場合に、突起１６Ａが端部側に突出する向に駒１０を配置する場合には突起１６Ａが指板２２から突出しないように突起１６Ａに近い側の溝１４Ａに弦２０を係合させればよい。
駒１０の溝１２にフレット２１を係合させて指板２２の上に載置して設定することにより突起１３はフレット２１の真上に位置させたから、この突起１３に形成した溝１４Ａ又は１４Ｂに弦２０を係合させることにより、駒１０によって規定される弦２０の振動長は、溝１２に係合させたフレットによって規定される振動長と等価になる。従って駒１０を各フレット２１の位置に設定することにより、駒１０によって規定される弦２０の振動は、駒１０を設定したフレット２１の位置で決まる音に変更される。この結果駒１０を任意のフレット２１の位置に設定することにより一般のギターの開放弦にない音を開放弦の奏法で発生させることができることになる。
【０００８】
図６はこの発明の他の実施例を示す。この実施例では三角柱状体を用いて駒１０を構成した場合を示す。三角柱状体の各面に溝１２を形成することにより、駒１０はどの向でも置く方向を選ぶことなく、指板２２の上に置くことができる。
図７はこの発明の更に他の実施例を示す。この実施例では弦２０を係合させる溝１４を深く形成し、弦２０と駒１０との係合状態を安定に保つように構成した場合を示す。
【０００９】
【発明の効果】
以上説明したようにこの発明によれば駒１０を例えば図８に示すようにギターの各弦２０に対して別々に位置を異ならせて設定することができる。従って駒１０を任意のフレット２１の位置に設定することにより、開放弦で各弦を鳴らしても、一般のギターで得られない音を得ることができる。この結果、駒１０の設定位置を適宜に選定し、設定した音を鳴らす順序を適宜に選定することにより、開放弦の奏法でもつまり弦をフレットに抑え付けなくても簡単な曲を演奏することができる。図８に示した例はホ長調におけるペンタトニック・スケール（ドレミソラド）であり、多くの曲に採用されているスケールである。図８の状態に設定することにより、押弦をせずに開放弦を弾くだけで多くのメロディを得ることができる。この結果非力な子供でもギターを演奏することができる実益が得られる。
【図面の簡単な説明】
【図１】この発明による弦楽器用駒の一実施例を説明するための斜視図。
【図２】図１を背面側から視た斜視図。
【図３】ギターの弦の部分の構造を説明するための平面図。
【図４】図３の側面図。
【図５】この発明による弦楽器用駒の実用例を説明するための平面図。
【図６】この発明の変形実施例を説明するための斜視図。
【図７】この発明の更に他の変形実施例を説明するための斜視図。
【図８】この発明の実用例を説明するための平面図。
【符号の説明】
１０    弦楽器用駒
１１    底面
１２    溝
１３    突起
１４Ａ，１４Ｂ    溝
１５，１６    端面
１５Ａ    凹部
１６Ａ    突起
【図１】
0003831105.tif 000002
【図２】
0003831105.tif 000003
【図３】
0003831105.tif 000004
【図４】
0003831105.tif 000005
【図５】
0003831105.tif 000006
【図６】
0003831105.tif 000007
【図７】
0003831105.tif 000008
【図８】
0003831105.tif 000009